(57)【要約】【課題】簡単な構成で、左右勝手や使用者の要望に応じて左右方向の任意の位置に吹き抜け空間を形成することができる収納家具を提供する。【解決手段】収納家具１は、主収納部２と、主収納部２の上方に位置する上収納部３とを備えている。上収納部３の前端を主収納部２の前端より後方に後退して位置させる。上収納部３前端の左右方向の任意の位置から前方突出部４を前方に向けて突出させると共に、該前方突出部４の上収納部３前端の左右方向における突出位置を変更自在とする。前方突出部４の側方に主収納部２の載置面まで連続する吹き抜け空間５を形成する。【選択図】図１
2011125551.tif 000002
【特許請求の範囲】
【請求項１】
主収納部と、主収納部の上方に位置する上収納部とを備えた収納家具であって、上収納部の前端を主収納部の前端より後方に後退して位置させ、上収納部前端の左右方向の任意の位置から前方突出部を前方に向けて突出させると共に、該前方突出部の上収納部前端の左右方向における突出位置を変更自在とし、前方突出部の側方に主収納部の載置面まで連続する吹き抜け空間を形成することを特徴とする収納家具。
【請求項２】
主収納部、上収納部の一方又は両方が前後方向に移動自在で、主収納部に対する上収納部の相対的な前方への最大移動状態で前方突出部の前端が主収納部の前端又は前端より後方に位置していることを特徴とする請求項１記載の収納家具。
【請求項３】
収納家具の主体を構成する収納家具本体の収納用開口を開閉自在に覆う前板を設け、前板を開くことで主収納部、上収納部への収納物の出し入れを可能とすることを特徴とする請求項１又は請求項２記載の収納家具。
【請求項４】
収納家具の主体を構成する収納家具本体の収納用開口から出し入れ自在な主引出しと、該主引出しの上部に配置され且つ主引出しの前板上端以下の高さに形成され且つ前板よりも後方で前後方向に移動自在となった内引出しとを備え、上記主引出しにより主収納部を構成すると共に、上記内引出しにより上収納部を構成し、内引出しの前端に、該内引出しの前端の左右方向の長さよりも左右方向の長さが短い前方突出部を取付け位置可変自在に取付け、内引出しが最も主引出しの前板に近づいた状態で前方突出部の側方に主引出しの載置面まで連続する吹き抜け空間を形成することを特徴とする請求項１記載の収納家具。
【請求項５】
前方突出部に収納機能が備わっていることを特徴とする請求項１乃至請求項４のいずれか一項に記載の収納家具。
【請求項６】
上収納部が前後方向に移動自在であって、前方突出部が上収納部を前後に移動させるための把手であることを特徴とする請求項１又は請求項２記載の収納家具。
【請求項７】
上収納部の前部に左右方向に沿って取付けレール部を形成し、取付けレール部に前方突出部に設けた被取付け部を左右方向に移動自在に係合すると共に、取付けレール部の任意の位置に被取付け部を固着手段により固定して成ることを特徴とする請求項１乃至請求項６のいずれか一項に記載の収納家具。
【発明の詳細な説明】
【技術分野】
【０００１】
本発明は、上下に収納部を設けた収納家具に関する。
【背景技術】
【０００２】
従来から、収納家具本体に主引出しと、内引出しを設けた収納家具が知られている。主引出しは収納家具本体の前面に設けた収納用開口から出し入れ自在となっており、主引出しを後方に移動した状態で主引出しの前板で収納用開口を閉じるようになっている。内引出しは、主引出しの前板よりも後方において、主引出しの上部で且つ前板上端以下の高さに配置されて前後方向に移動自在となっている。上記構成の収納家具においては、主引出しを引出した状態で、主引出し、内引出しにそれぞれ個別に収納物を収納したり、収納した収納物を取り出したりする。
【０００３】
ところが、主引出しに背が高い（上下寸法が大きい）収納物を収納する場合、内引出しが邪魔になって収納することができないという問題がある。
【０００４】
そこで、内引出しの前端部の左右方向の一部を後方に後退させて後退部を形成し、内引出しを前方に最大移動させた状態で、後退部の前方（主引出しの前板と後退部との間）に下の主引出しの載置面（底板上面）まで連続する吹き抜け空間を形成したものが特許文献１により提案されている。
【０００５】
この特許文献１においては、上記後退部の前方に形成される主引出しの載置面まで連続する吹き抜け空間を利用して、背が高い収納物、例えば、お玉杓子、しゃもじ、トング、菜箸などを収納するようにしている。
【先行技術文献】
【特許文献】
【０００６】
【特許文献１】特開２００９−１１３９６号公報
【発明の概要】
【発明が解決しようとする課題】
【０００７】
しかしながら、上記特許文献１に示された従来例は、内引出しの前端部の左右方向の一部を後方に後退させて後退部を形成し、この後退部の前方を主引出しの載置面まで連続する吹き抜け空間とするものであるから、形成される吹き抜け空間は、主引出しの左右方向の一定の決まった位置となる。
【０００８】
ところが、上記のように吹き抜け空間の位置が主引出しの左右方向の一定の決まった位置に定まっていると、収納家具の左右勝手の違いに対応できないという問題がある。
【０００９】
つまり、吹き抜け空間の位置が主引出しの左右方向の一定の決まった位置に定まっていると、吹き抜け空間に背が高い収納物を収納するに当たって、使用者の主たる調理作業側からの収納物の出し入れ、取り扱いが不便であるという問題がある。
【００１０】
本発明は、上記の問題に鑑みて発明したものであり、簡単な構成で、左右勝手や使用者の要望に応じて左右方向の任意の位置に吹き抜け空間を形成することができる収納家具を提供することを課題としている。
【課題を解決するための手段】
【００１１】
本発明の収納家具１は、主収納部２と、主収納部２の上方に位置する上収納部３とを備えている。本発明の特徴は、上収納部３の前端を主収納部２の前端より後方に後退して位置させ、上収納部３前端の左右方向の任意の位置から前方突出部４を前方に向けて突出させると共に、該前方突出部４の上収納部３前端の左右方向における突出位置を変更自在とし、前方突出部４の側方に主収納部２の載置面まで連続する吹き抜け空間５を形成することである。
【００１２】
上記構成により、前方突出部４の上収納部３前端の左右方向における突出位置を選択することで、前方突出部４の側方に形成される主収納部２の載置面まで連続する吹き抜け空間５を、主収納部２の前部の左右方向の任意の位置に形成することができる。
【００１３】
また、主収納部２、上収納部３の一方又は両方が前後方向に移動自在で、主収納部２に対する上収納部３の相対的な前方への最大移動状態で前方突出部４の前端が主収納部２の前端又は前端より後方に位置することが好ましい。
【００１４】
このように、主収納部２、上収納部３の一方又は両方を前後方向に移動自在とすることで、主収納部２、上収納部３のそれぞれに収納物を個別に収納する作業が容易に行える。しかも、収納作業を容易にするために前後方向に移動自在としたにもかかわらず、主収納部２に対する上収納部３の相対的な前方への最大移動状態で前方突出部４の前端が主収納部２の前端又は前端より後方に位置するので、吹き抜け空間５を確実に確保でき、背が高い収納物の収納に支障がない。
【００１５】
また、収納家具１の主体を構成する収納家具本体６の収納用開口７を開閉自在に覆う前板８を設け、前板８を開くことで主収納部２、上収納部３への収納物の出し入れを可能とすることが好ましい。
【００１６】
このような構成とすることで、吹き抜け空間５の位置が左右方向において変わっても、前板８を閉じることで、主収納部２、上収納部３はもちろん吹き抜け空間５、及びこれらに収納した収納物を隠すことができる。また、前板８を開いて収納用開口７を開放することで、主収納部２、上収納部３、吹き抜け空間５各々への収納物の出し入れを行うことができる。
【００１７】
また、収納家具１の主体を構成する収納家具本体６の収納用開口７から出し入れ自在な主引出し９と、該主引出し９の上部に配置され且つ主引出し９の前板８上端以下の高さに形成され且つ前板８よりも後方で前後方向に移動自在となった内引出し１０とを備え、上記主引出し９により主収納部２を構成すると共に、上記内引出し１０により上収納部３を構成することが好ましい。上記内引出し１０の前端に、この内引出し１０の前端の左右方向の長さよりも左右方向の長さが短い前方突出部４を取付け位置可変自在に取付け、内引出し１０が最も主引出し９の前板８に近づいた状態で前方突出部４の側方に主引出し９の底板１１の載置面まで連続する吹き抜け空間５を形成する。
【００１８】
このような構成とすることで、主引出し９、主引出し９の上部の内引出し１０にそれぞれ収納物を収納できるだけでなく、主引出し９の前部の左右方向の任意の位置に形成される吹き抜け空間５に上下長さの長い収納物を収納することができる。また、主引き出し９を引出した状態で、内引出し１０を前後に移動させることで、主引出し９、内引出し１０にそれぞれ収納した収納物の出し入れができる。そして、上記内引出し１０が最も主引出し９の前板８に近づいた状態であっても、上記吹き抜け空間５に収納した上下長さの長い収納物の出し入れが簡単にできる。
【００１９】
また、前方突出部４に収納機能が備わっていることが好ましい。
【００２０】
このような構成とすることで、収納容量を減じることなく、左右方向における吹き抜け空間５の位置を選択できる。また、前方突出部４は主収納部２の上部で且つ上収納部３の前方に突出しているので、最も取り出し易い位置にあって、頻繁に使用する小物類の収納に適している。しかもこの小物類を収納するのに適した前方突出部４の左右方向における突出位置を選択できるので、小物類の収納部としての使い勝手を向上できる。
【００２１】
また、上収納部３が前後方向に移動自在であって、前方突出部４が上収納部３を前後に移動させるための把手１２であることが好ましい。
【００２２】
上記構成により、上収納部３の前端から把手１２を突出することで、把手１２の側方に吹き抜け空間５を形成することができる。しかも、把手１２を手で掴んで上収納部３の前後移動操作ができ、上収納部３の前後移動操作が容易に行えて使い勝手がよい。
【００２３】
また、上収納部３の前部に左右方向に沿って取付けレール部１３を形成し、取付けレール部１３に前方突出部４に設けた被取付け部１４を左右方向に移動自在に係合すると共に、取付けレール部１３の任意の位置に被取付け部１４を固着手段１５により固定することも好ましい。
【００２４】
これにより、前方突出部４に設けた被取付け部１４を取付けレール部１３に係合して左右方向に移動し、固着手段１５で固着することで、左右方向の任意の位置に強固に、且つ外観性に優れた形態で前方突出部４を固定できる。
【発明の効果】
【００２５】
本発明は、上記のように、前方突出部の上収納部前端の左右方向における突出位置を変更自在にするという簡単な構成で、主収納部の前部の左右方向の任意の位置に主収納部の載置面まで連続する吹き抜け空間を形成できる。これにより、収納家具の左右勝手や、吹き抜け空間の形成位置に対して使用者の要望に対応でき、収納物の出し入れ使い勝手が向上する。
【図面の簡単な説明】
【００２６】
【図１】本発明の収納家具の一実施形態の主引出し（主収納部）、内引出し（上収納部）を前方に移動した状態を示す斜視図である。
【図２】同上の平面図である。
【図３】同上の側面図である。
【図４】同上の前面断面図である。
【図５】同上の内引出し（上収納部）に前方突出部を取付ける例を示す断面図である。
【図６】同上の前方突出部の突出位置を変更した例を示す平面図である。
【図７】本発明の他の実施形態の主引出し（主収納部）、内引出し（上収納部）を前方に移動した状態を示す斜視図である。
【図８】同上の平面図である。
【図９】同上の内引出し（上収納部）に前方突出部を取付ける例を示す要部拡大断面図である。
【発明を実施するための形態】
【００２７】
以下、本発明を添付図面に示す実施形態に基づいて説明する。
【００２８】
本発明の収納家具１は、主収納部２と、主収納部２の上方に位置する上収納部３とを備えている。上収納部３前端が主収納部２前端より後方に後退しており、上収納部３前端の下方に主収納部２の載置面の前部が位置している。上収納部３前端の左右方向の任意の位置に前方突出部４を取付け位置可変自在に取付けており、上収納部３前端の左右方向のどこに前方突出部４を取付けたとしても、前方突出部４の一側方又は両側方に主収納部２の載置面まで連続する吹き抜け空間５が形成されるように構成してある。
【００２９】
図１乃至図６には上記構成の本発明の収納家具１の一実施形態を示している。本実施形態においては、収納家具１の主体が、内部が格納用空間となり且つ前面に格納用空間に連通する収納用開口７を有するキャビネットよりなる引出し付き家具としての収納家具本体６で構成してある。
【００３０】
収納家具本体６の内部の格納用空間には主収納部２である主引出し９と、上収納部３である内引出し１０とを前後方向に移動自在に配置している。
【００３１】
主引出し９は、前板８、底板１１、側部構成部材１６、後板（図示せず）よりなる上方が開口した箱状をしたもので、前板８の上部は図１、図３に示すように、側部構成部材１６の上端、後板の上端よりも上方に突出している。
【００３２】
この主引出し９は、主引出し用スライドレール１７により収納家具本体６に対して前後方向に移動自在に取付けてある。
【００３３】
主引出し用スライドレール１７は、前後方向に長い固定レール１７ａと、固定レール１７ａに対して前後方向に出没自在となった前後方向に長い可動レール１７ｂで構成しており、固定レール１７ａを収納家具本体６の側板６ａに固定し、可動レール１７ｂを主引出しの底板１１の側端又は側部構成部材１６に固定している（図４参照）。
【００３４】
主引出し９は前方に移動することで収納用開口７から前方に引出すことができ、後方に移動することで収納家具本体６の内部の格納用空間内に完全に格納することができ、この格納状態で主引出し９の前板８で収納用開口７を覆って閉じるようになっている。
【００３５】
左右の側部構成部材１６の前部間には棒状又は板状をした仕切り体１８が架設してあり、この仕切り体１８には後述のように収納容器１９を支持することができるようになっている。
【００３６】
内引出し１０は、図１、図２、図５に示すように、前板２０、底板２１、側板２２、後板２３よりなる上方が開口した底の浅い箱状をしている。
【００３７】
この内引出し１０は、図１、図３に示すように、主引出し９の上部に配置され且つ主引出し９の前板８上端以下の高さに形成してあり、内引出し用スライドレール２４により収納家具本体６に対して前後方向に移動自在に取付けてある。
【００３８】
ここで、上記のように内引出し１０が主引出し９の前板８の上端以下の高さに形成しているので、内引出し１０は主引出し９の前板８よりも後方で前後方向に移動自在となっている。
【００３９】
内引出し用スライドレール２４は、前後方向に長い固定レール２４ａと、固定レール２４ａに対して前後方向に出没自在となった前後方向に長い可動レール２４ｂで構成しており、固定レール２４ａを収納家具本体６の側板６ａに固定し、可動レール２４ｂを内引出し１０の底板２１の側端又は側板２２に固定している（図４参照）。
【００４０】
内引出し１０の前端である前板２０の左右方向の任意の位置に、左右方向の長さが内引出し１０前端の左右方向の長さよりも短い前方突出部４を物品載置収納部容器として、左右方向における取付け位置を可変自在に、且つ内引出し１０に一体的に取付けている。
【００４１】
上記のように、内引出し１０前端の左右方向の任意の位置に前方突出部４を取付けることで、主引出し３の前板８の後方位置で前後方向に移動自在となった内引出し１０は、前板８に対して最も近づくように移動させた状態で、内引出し１０前端が主引出し９の前端よりも後方に後退して位置することになる。
【００４２】
したがって、内引出し１０前端の左右方向の任意の位置に取付けた前方突出部４の一方の側方又は両側方に主引出し９の載置面まで連続する吹き抜け空間５が形成される。ここで載置面とは主引出し９における収納物を載置する部分を指し、実施形態では底板１１上面が載置面となっている
図１、図２、図３には内引出し１０前端の右側（前面から見て右側）にずらして前方突出部４を取付けることで、前方突出部４の左側方に主引出し９の載置面まで連続する吹き抜け空間５を形成した例を示している。
【００４３】
また、上記前方突出部４を図６のように内引出し１０前端の左側（前面から見て左側）にずらして前方突出部４を取付けると、前方突出部４の右側方に主引出し９の載置面まで連続する吹き抜け空間５を形成することができる。
【００４４】
この吹き抜け空間５には背が高い（上下寸法が大きい）収納物を収納することができる。図１乃至図４、図６の実施形態ではこの吹き抜け空間５に収納容器１９を設置し、収納容器１９にお玉杓子、しゃもじ、トング、菜箸等の背の高い収納物を差し込んで収納するようになっている。
【００４５】
図１、図３の実施形態において、上記収納容器１９は後端部上端に逆Ｕ字状のフック２７を設け、仕切り体１８に着脱自在に係止している。
【００４６】
図５には前方突出部４を内引出し１０前端の左右方向の任意の位置に取付ける一例が示してある。
【００４７】
本例においては、内引出し１０の前部に左右方向に沿って取付けレール部１３を形成している。取付けレール部１３は下面が開口となった断面コ字状をしており、該開口両縁部に開口縁片１３ｃを突設している。図５の実施形態では取付けレール部１３として，前板２０上端部から前方に向けて突出する上取付けレール部１３ａと、底板２１下面前端から下方に向けて突設する下取付けレール部１３ｂとを設けている。また、下取付けレール部１３ｂ内にナット１５ａを配置して両開口縁片１３ｃ上に左右方向に移動自在に載置している。
【００４８】
前方突出部４の後端に被取付け部１４を設けている。図５の実施形態では被取付け部１４として、前方突出部４の後端部上端から後方に突出した断面逆Ｌ字状をした上被取付け部１４ａと、後端部下端から後方に突出した断面Ｌ字状をした下被取付け部１４ｂとを設けている。
【００４９】
そして、断面逆Ｌ字状をした上被取付け部１４ａを上取付けレール部１３ａに左右方向に移動自在に引掛け係合すると共に、断面Ｌ字状をした下被取付け部１４ｂを下取付けレール部１３ｂの外側に左右方向に移動自在に重ね、下被取付け部１４ｂの下横片に設けた孔１４ｃに下方からねじ具１５ｂを挿入し、該ねじ具１５ｂを下取付けレール部１３ｂの開口に挿通し、ナット１５ａに螺合することで、前方突出部４を内引出し１０前端に左右方向移動自在に取付けている。
【００５０】
ねじ具１５ｂを緩めることで、前方突出部４を取付けレール部１３に対して左右方向に移動自在とし、ねじ具１５ｂを締め付けることで、前方突出部４を取付けレール部１３の左右方向の任意の位置で固定できる。本例ではナット１５ａ、ねじ具１５ｂにより固着手段１５を構成している。
【００５１】
上記のような本発明の収納家具１は、主引出し９を前方に移動させることで収納物の出し入れを行う。ここで、主引出し９を前方に移動させ、内引出し１０を前方に移動させない状態で、主引出し９内への収納物の出し入れをする。
【００５２】
一方、図１、図２、図３、あるいは図６のように、主引出し９を前方に移動させ、内引出し１０を前方に移動させることで、内引出し１０内への収納物の出し入れをする。
【００５３】
そして、本発明においては、内引出し１０を前方に移動する又はしないにかかわらず、吹き抜け空間５が形成されるので、主引出し９を前方に移動させることで、吹き抜け空間５に収納している背が高い収納物を取り出したり、あるいは収納したりできる。
【００５４】
しかも、本発明は、前述のように、前方突出部４を内引出し１０前端の左右方向の任意の位置に取付け位置可変自在に取付けるので、前方突出部４の内引出し１０前端の左右方向における取付け位置を選択することで、背が高い収納物を収納するための吹き抜け空間５を、収納家具１の左右勝手に対応したり、あるいは、使用者の使い勝手に応じて主引出し９の左右方向の任意の位置に形成することができて利便性が向上する。
【００５５】
図１乃至図６に示す実施形態では前方突出部４に収納凹所２９を設けているので、前方突出部４にも収納物を収納することができ、収納容量を減じることなく、左右方向における吹き抜け空間５の位置を選択できる。
【００５６】
これにより使用者の、調理作業時の主たる立位置に対して利便性のよい側に、吹き抜け空間５あるいは上収納部３の前方突出部４を配置することができる。
【００５７】
また、前方突出部４は主収納部２の上部で且つ上収納部３の前方に突出しているので、最も取り出し易い位置にある。したがって、前方突出部４の収納凹所２９は頻繁に使用する小物類の収納に適している。
【００５８】
図７乃至図９には前方突出部４の他の実施形態を示している。この実施形態においては、前方突出部４で把手１２を構成した例であり、内引出し１０前端の左右方向の任意の位置から突出させた前方突出部４である把手１２を掴んで内引出し１０を前後方向に移動することができ、内引出し１０の前後方向の移動操作が容易に行える。
【００５９】
本実施形態においては前方突出部４の後端部にコ字状嵌め込み部１４ｄを突出して被取付け部１４を構成している。このコ字状嵌め込み部１４ｄを、内引出し１０の前板２０上端部から前方に向けて突出した取付けレール部１３（上取付けレール部１３ａ）に左右方向に移動自在に嵌め込み、コ字状嵌め込み部１４ｄの上横片の先端から下方に垂下した係合片１４ｅを取付けレール部１３の背面に係合している。コ字状嵌め込み部１４ｄの下横片に設けた孔１４ｃに下方からねじ具１５ｂを挿入し、該ねじ具１５ｂを取付けレール部１３の開口に挿通し、取付けレール部１３内に移動自在に配置したナット１５ａに螺合することで、前方突出部４を内引出し１０前端に左右方向移動自在に取付けている。
【００６０】
この実施形態においてもねじ具１５ｂを緩めて前方突出部４を取付けレール部１３の左右方向の任意の位置に移動し、ねじ具１５ｂを締め付けて前方突出部４を取付けレール部１３の左右方向の任意の位置で固定する。
【００６１】
そして、本例では前方突出部４で把手１２を構成するため、左右方向の長さ（左右巾）は手で掴むことができる程度の長さでよく、図７、図８のように、前方突出部４を内引出し１０前端の左端又は右端に片寄せることなく、中間に取付けると、前方突出部４の左右両側方にそれぞれ主引出し９の載置面まで連続する吹き抜け空間５を形成することができる。
【００６２】
なお、図５で示した上収納部３の内引出し１０にあっては、前端上部の上取付けレール部１３ａにおいて、前述の把手としての前方突出部４を、同様にねじ具１５ｂとナット１５ａで締結固定することができる。また、図５に示す内引出し（本体）１０は、把手１２として、もしくは収納凹所２０を備えた収納部としてのいずれかの前方突出部４が共に取付可能な形状であり、共用性の観点で好適である。
【００６３】
図７、図８では左右両側に形成される吹き抜け空間５のうち左側の吹き抜け空間５は左右巾が短く、収納容器１９としてお玉杓子、しゃもじ、トング、菜箸などの細長い収納物を収納する細長収納物用の収納容器１９ａを配置している。また、右側の吹き抜け空間５は左右巾が長く、まな板を立てて収納するためのまな板収納用の収納容器１９ｂを配置している。
【００６４】
ここで、内引出し１０前端からの前方突出部４の突出位置を変えることで、右側の吹き抜け空間５の左右巾を長くしてまな板収納用の収納容器１９ｂを配置し、左側の吹き抜け空間５の左右巾を短くして細長収納物用の収納容器１９ａを配置するという位置変更が容易にできる。
【００６５】
なお、前述の各実施形態は、いずれも、主収納部２が主引出し９、上収納部３が内引出し１０である例につき説明したが、必ずしもこれにのみ限定されるものではない。
【００６６】
図示を省略しているが、キャビネットよりなる収納家具本体６内に配置した下段の棚、上段の棚がそれぞれ主収納部２、上収納部３であってもよい。主収納部２、上収納部３がそれぞれ棚の場合、主収納部２、上収納部３がいずれも固定棚であってもよいが、主収納部２、上収納部３のいずれか一方又は両方が前後方向に移動自在なスライド棚であると、収納物の出し入れが容易に行える。
【００６７】
また、上記棚を配置したキャビネットよりなる収納家具本体６前面の収納用開口７を開閉自在に覆う前板８（いわゆる回動開閉扉）を設けてもよい。この実施形態における前板８は主収納部２、上収納部３を構成する各棚とは独立して開閉するもので、前板８を開いて収納用開口７を開放し、主収納部２、上収納部３、吹き抜け空間５各々への収納物の出し入れを行うことができる。また、前板８を閉じることで、主収納部２、上収納部３はもちろん吹き抜け空間５、及びこれらに収納した収納物を隠すことができる。
【００６８】
更に、前述の実施形態では、上下２段の収納部の構成例を示したが、収納部が上下３段以上の多数段であっても本発明を適用できる。この場合、主収納部２の上方に上収納部３が２段以上設けられ、２段以上の上収納部３の前端にそれぞれ前方突出部４を左右方向における突出位置を変更自在に取付ける。この実施形態においては、２段以上の上収納部３前端から突出した各前方突出部４の側方位置に連続し且つ主収納部２の載置面に至る吹き抜け空間５を形成することができる。もちろん、本実施形態でも、２段以上の上収納部３前端に取付ける前方突出部４の左右方向の突出位置を変えることで、吹き抜け空間５の位置を選択できる。
【符号の説明】
【００６９】
１  収納家具
２  主収納部
３  上収納部
４  前方突出部
５  吹き抜け空間
６  収納家具本体
７  収納用開口
８  前板
９  主引出し
１０  内引出し
１１  底板
１２  把手
１３  取付けレール部
１４  被取付け部
１５  固着手段
【図１】
2011125551.tif 000003
【図２】
2011125551.tif 000004
【図３】
2011125551.tif 000005
【図４】
2011125551.tif 000006
【図５】
2011125551.tif 000007
【図６】
2011125551.tif 000008
【図７】
2011125551.tif 000009
【図８】
2011125551.tif 000010
【図９】
2011125551.tif 000011